(57)【要約】  【課題】スピナーミラー装置等の副走査方向に移動する熱源の装置内部での位置に係らず、この熱源によって暖められた装置内部の気体に起因する風ムラの発生を防止し、かつ、露光光学系がファンの振動の影響を受けることがない、良好な画像記録を安定して行うことを可能とするインナードラム露光装置を提供する。  【解決手段】装置内部に光ビームの入射方向の気流を形成する気体の供給手段と排気手段と、さらにその気流の流路を規定する整流機能を有する１対の遮光板とを備え、熱源となる走査手段の周囲で暖められた気体を上記気流によって装置外部に排出し、上記暖められた気体が光ビームの光路に流入することを防止する。【選択図】図１
2007003884.tif 000002
【特許請求の範囲】
【請求項１】
支持体の円筒内周面に支持された記録媒体に対し、前記円筒の中心軸上に配設された偏向手段の回動する反射面で光源から照射された光ビームを偏向して前記記録媒体を主走査するとともに、前記偏向手段を前記円筒の中心軸方向に移動させて副走査し、前記記録媒体を走査露光するインナードラム露光装置であって、
装置内部の迷光を除去する遮光手段と、前記偏向手段の反射面に入射する光ビームの入射方向における前記反射面より上流側から装置内部に気体を供給する給気手段と、前記偏向手段の反射面より下流側から装置内部の気体を装置外部に排気する開口とを有し、
前記遮光手段は、前記給気手段および前記開口により装置内部に形成される気流を、前記開口の方向に前記偏向手段の周囲を通過させる整流機能を有することを特徴とするインナードラム露光装置。
【請求項２】
前記遮光手段は、前記円筒の中心軸に対して略垂直に、前記反射面で偏向された光ビームの光路を挟んで対向して配置され、前記偏向手段と一体に中心軸方向に移動可能に配設される一対の板である、前記光ビームの入射方向の上流側に配設される第１遮光板と、この第１遮光板と対向して配設される第２遮光板とを有し、
さらに、前記第１遮光板および前記第２遮光板のそれぞれが、少なくとも一つの貫通口を有し、この貫通口により前記気流を通過させる整流機能を実現する請求項１に記載のインナードラム露光装置。
【請求項３】
前記第１遮光板に形成された貫通口は、前記給気手段の気体供給口に対向して配置され、かつ、前記第２遮光板に形成された貫通口は、前記開口に対向して配置される請求項２に記載のインナードラム露光装置。
【請求項４】
前記第１遮光板は、前記給気手段から装置内部に供給された気体を当該第１遮光板に形成された貫通口に導く導流部材を有する請求項３に記載のインナードラム露光装置。
【請求項５】
前記第２遮光板は、前記第２遮光板に形成された貫通口を通過した前記気流の流路を前記偏向手段の周囲に規定し、前記開口へ向かう気流を形成する整流部材を有する請求項３または４に記載のインナードラム露光装置。
【請求項６】
前記開口は、当該開口を介して装置内部の気体を排気する排気装置を有する請求項１〜５のいずれかに記載のインナードラム露光装置。
【発明の詳細な説明】
【技術分野】
【０００１】
本発明は、支持体に配置した記録媒体、例えば感光材料をレーザービーム等の光ビームを用いる露光光学系により走査して露光処理を施し、記録媒体に画像を形成するインナードラム露光装置（以下、単に露光装置ともいう）に関する。
【背景技術】
【０００２】
一般に、オフセット印刷には、感光性印刷版（いわゆるＰＳ版）が利用されている。また、この平版印刷の分野では、未露光の感光性印刷版の供給を受けて、この感光性印刷版に対してコンピュータ等のデジタルデータに基づいて、インナードラム露光装置やアウタードラム露光装置といった露光装置を利用して露光処理を施して直接印刷版を製造するＣＴＰ（Ｃｏｍｐｕｔｅｒ  ｔｏ  Ｐｌａｔｅ）システムが実用化されている。
【０００３】
インナードラム露光装置では、画像情報に基づいて変調される光ビームを、光偏向器の回転軸に配置したスピナーミラーによって偏向させるとともに、光偏向器の回転軸を回転駆動することによってスピナーミラーを光ビームの光軸回りに定速回転させてインナードラムの円周方向に主走査すると共に、光軸（内面ドラムの中心軸方向）に沿って、スピナーミラーを装着した光偏向器を定速移動させて副走査し、内面ドラムの内周面に装着されたシート状の記録媒体に対して画像を形成する。
【０００４】
このインナードラム露光装置では、光偏向器（スピナーミラー装置）が、スピナーミラーを装着した回転軸を高速回転する際に発熱する。その熱でスピナーミラー周囲の空気等の気体に温度勾配ができる。このスピナーミラー周囲では、温度の異なる空気等の気体の屈折率の変動によって光ビームの一部または全部が屈折するため記録画像に生じる画像不良、いわゆる、風ムラが発生する場合がある。
【０００５】
上記の課題を防止するために特許文献１には、光源と、光偏向器とを有する露光ユニット内部に配設された送風ファン装置によって、光偏向器に冷却風を吹き付けて、光偏向器を冷却すると共に、光偏向器周囲の温度分布の均一化を図る画像形成装置が開示されている。
【特許文献１】米国特許  ＵＳ  ６７３５００３  Ｂ１
【発明の開示】
【発明が解決しようとする課題】
【０００６】
しかしながら、特許文献１に開示されているような、モータ等の熱源に送風ファンによって風を吹きかける露光装置では、発熱源によって暖められた気体が画像記録装置内部に拡散して、露光装置内部に温度勾配を発生させる原因となり、根本的な問題の解決には至ってない。
【０００７】
また、スピナーミラーや光源等を有する露光光学系に送風ファンも一体となって配設される構成を有する上述したような露光装置では、送風ファンの振動の影響を受けて画像不良が生じる場合もあった。
【０００８】
本発明は、上記問題点に鑑みてなされたものであり、その目的とするところは、モータ等の副走査方向に移動する熱源によって暖められた露光装置内部の気体の温度勾配に起因する風ムラの発生を防止し、かつ、ファンの振動の影響を受けることがない、良好な画像記録を安定して行うことを可能とするインナードラム露光装置を提供することである。
【課題を解決するための手段】
【０００９】
上記課題を解決するために、本発明は、支持体の円筒内周面に支持された記録媒体に対し、前記円筒の中心軸上に配設された偏向手段の回動する反射面で光源から照射された光ビームを偏向して前記記録媒体を主走査するとともに、前記偏向手段を前記円筒の中心軸方向に移動させて副走査し、前記記録媒体を走査露光するインナードラム露光装置であって、装置内部の迷光を除去する遮光手段と、前記偏向手段の反射面に入射する光ビームの入射方向における前記反射面より上流側から装置内部に気体を供給する給気手段と、前記偏向手段の反射面より下流側から装置内部の気体を装置外部に排気する開口とを有し、前記遮光手段は、前記給気手段および前記開口により装置内部に形成される気流を、前記開口の方向に前記偏向手段の周囲を通過させる整流機能を有することを特徴とするインナードラム露光装置を提供する。
【００１０】
前記遮光手段は、前記円筒の中心軸に対して略垂直に、前記反射面で偏向された光ビームの光路を挟んで対向して配置され、前記偏向手段と一体に中心軸方向に移動可能に配設される一対の板である、前記光ビームの入射方向の上流側に配設される第１遮光板と、この第１遮光板と対向して配設される第２遮光板とを有し、さらに、前記第１遮光板および前記第２遮光板のそれぞれが、少なくとも一つの貫通口を有し、この貫通口により前記気流を通過させる整流機能を実現する。
【００１１】
前記第１遮光板に形成された貫通口は、前記給気手段の気体供給口に対向して配置され、かつ、前記第２遮光板に形成された貫通口は、前記開口に対向して配置されるのが好ましい。
【００１２】
前記第１遮光板は、前記給気手段から装置内部に供給された気体を当該第１遮光板に形成された貫通口に導く導流部材を有するのが好ましく、また、前記第２遮光板は、前記第２遮光板に形成された貫通口を通過した前記気流の流路を前記偏向手段の周囲に規定し、前記開口へ向かう気流を形成する整流部材を有するのが好ましい。
また、前記開口は、当該開口を介して装置内部の気体を排気する排気装置を有するのが好ましい。
【発明の効果】
【００１３】
本発明のインナードラム露光装置によれば、モータや光源等の副走査方向に移動する熱源の装置内部での位置に係らずに、上記熱源によって暖められた装置内部の気体を拡散させることなく装置外部に効率よく排気することにより、風ムラの発生を防止しすることが可能となる。
さらに、光源や偏向手段とは別に給気手段および排気用の開口を設け気流を生じさせることにより、送風ファンの振動の影響を受けることがない構成とすることができる。
従って、本発明のインナードラム露光装置は、良好な画像記録を安定して行うことを可能とする。
【発明を実施するための最良の形態】
【００１４】
以下、本発明の一実施形態として、本発明を適用したインナードラム露光装置１０について説明する。図１は、本発明に係るインナードラム露光装置１０の概略構成を示す一部断面図である。図２は、図１に示すインナードラム露光装置１０のＡＡ断面を示す矢視断面図である。
【００１５】
図１または図２に示すように、インナードラム露光装置１０（以下、露光装置１０とする）は、ハウジング１２と、記録媒体１６を装着する支持台１４と、光ビームを照射して記録媒体１６を主走査する主走査部１７と、副走査移動手段３０と、給気手段４４と、排気手段５０とを有する。
【００１６】
露光装置１０は、装置外部からの気体や光の進入を防止するハウジング１２を有する。支持台１４は、略円筒形状（円筒の一部を構成する形状）の内周面を有し、この内周面に記録媒体１６を位置決めして保持する台である。また、支持台１４は、その内周面に、記録媒体１６を固定する複数個の吸引孔（図示省略）を有し、その吸引力により記録媒体１６を保持する。ただし、記録媒体１６を保持する保持手段は上記のものに限定されない。
以下、支持台１６の円筒内周面の中心軸と平行な方向を副走査方向とし、支持体１４の円筒内周面の円周方向を主走査方向とする。また、支持体１４の円筒内周面の中心軸は、単に、中心軸とする。
【００１７】
記録媒体１６は、主走査部１７から照射される光ビームによって走査露光され画像記録されるものであり、フォトポリマー版もしくは通常のＰＳ版または銀塩タイプの感光材料等を好適に使用可能である。
【００１８】
主走査部１７は、光源ユニット１８、集光レンズ２０、およびスピナーミラー装置２２を含む露光光学系と、集光レンズ２０およびスピナーミラー装置２２を一体に支持する保持部材２６および保持部材２６から延設される固定部材２７ａ，２７ｂと、さらに、露光装置１０内部の迷光を除去する第１遮光板２８，第２遮光板２９とを有し、記録媒体１６の被走査面を光ビームで主走査するものである。
【００１９】
光源ユニット１８は、記録媒体１６の感光波調域の光ビームを照射するＬＤ光源等の光源や、必要に応じて適宜配置される偏光板やミラーやレンズといった公知の光学素子等を有し、記録する画像情報に応じて変調した光ビームを照射する、光ビームＬの照射源である。光源ユニット１８は、照射した光ビームＬの光軸が中心軸と一致するように配設されている。
なお、本実施形態では、光源ユニット１８がハウジング１２の外部に配設されるとしているが、光源ユニット１８はハウジング１２内部に配設してもよい。また、図示例の露光装置１０では、１本の光ビームで走査露光を行うが、複数の光ビームで同時に走査露光を行うマルチビーム方式を用いてもよい。
【００２０】
集光レンズ２０は、光源ユニット１８から照射される光ビームＬを、支持台１６に装着される記録媒体１６の被走査面上で集光させるためのレンズである。集光レンズ２０は、後に詳述する保持部材２６から中心軸と垂直に延設されている固定部材２７ａによって中心軸上に位置するように配置される。
【００２１】
スピナーミラー装置２２は、略円筒形状の回転体２３と回転体２３を回転駆動する主走査モータ２４とを有し、その回転軸が中心軸（すなわち、光ビームＬの光軸）と一致するように、後に詳述する固定部材２７ｂによって位置決め固定される。
回転体２３における光ビームＬが入射する側の端部には、光ビームＬを偏向する反射面が形成される。この反射面の中心軸に対する角度は、支持台１４に保持された記録媒体１６に光ビームＬが所定の入射角で入射するように決定される。また、回転体２３の他端は、回転体２３の回転動力源である主走査モータ２４と接続される。
光源ユニット１８から照射された光ビームＬは、スピナーミラー装置２２の反射面で支持台１４方向に偏向され、支持台１４に保持される記録媒体１６の被走査面上に所定の入射角で入射してビームスポットを形成する。スピナーミラー装置２２の反射面が回転することにより、このビームスポットが記録媒体１６を主走査する。
【００２２】
保持部材２６および固定部材２７ａ，２７ｂは、上述したように、集光レンズ２０およびスピナーミラー装置２２を位置決め固定するものである。保持部材２６は、水平に配置された板状の部材であり、その下面には、２つの固定部材２７ａ，２７ｂが、垂直下方に延設される。
【００２３】
さらに、固定部材２７ａには、支持体１４の円周方向に第１遮光板２８が延設される。第１遮光板２８は、略半円形状を有する板状の部材で、その半円形状の側面が中心軸と垂直となるように固定部材２７ａから延設され、露光装置１０内部で生じる迷光を除去するものである。
ここで、本実施形態の第１遮光板２８は、中心軸方向に形成された少なくとも一つの貫通口２８ａを有する。また、第１遮光板２８の光源ユニット１８側の側面には、貫通口２８ａの開口部を覆うフード２８ｂが配設される。本実施形態では、このフード２８ｂは、貫通口２８ａの開口部から光源方向に向かって広がるテーパ形状を有する。
【００２４】
また、第２遮光板２９は、第１遮光板２８と同様に露光装置１０内部の迷光を除去する略半円形状の板である。第２遮光板２９は、第１遮光板２８の光源と反対側に、スピナーミラー装置２２で偏向された光ビームＬの光路を確保するのに十分な間隔を以って、第１遮光板と対向して、保持部材２６に配設されている。また、第２遮光板２９は、その側面が中心軸と垂直となるように保持部材２６に配設されている。
半円形の第２遮光板２９の中心部周辺には、切り欠きが形成され、第２遮光板２９とスピナーミラー装置２２を保持する固定部材２７ｂとの間には開口２９ａが形成される。この開口２９ａからスピナーミラー装置２２の回転体２３と逆方向に、主走査モータ２４を覆うトンネル状の覆蓋部材２９ｂが形成されている。
【００２５】
なお、図示例の露光装置１０は、上述した第１遮光板２８と第２遮光板２９とを有することにより、後に詳述する給気手段４４により光源ユニット１８側から供給され、排気手段５０により光源ユニット１８と反対側から排気される気体の流路（矢印Ｂで示す）を規定することができる。これにより、スピナーミラー装置２２の主走査モータ２４の発熱により暖められた気体が光ビームの光路Ｌに進入して発生する風ムラを防止することができる。これに関しては後に詳細に説明する。
【００２６】
副走査移動手段３０は、上記保持部材２６から延設されたアーム３２と、ローラ３４と、ねじ送り機構３５と、ガイド４２とを有し、スピナーミラー装置２２を副走査方向に移動させるものである。
ガイド４２は、集光レンズ２０およびスピナーミラー装置２２の移動経路を規定するものである。保持部材２６から延設された４本のアーム３２は、その先端にローラ３４を有する。このローラ３４がガイド４２に懸架した状態で、保持部材２６および固定部材２７ａ，２７ｂと、固定部材２７ａ，２７ｂに配置された集光レンズ２０およびスピナーミラー装置２２とが、ガイド４２に沿って副走査方向に移動可能に構成されている。
ねじ送り機構３５は、副走査方向に配設されたボールねじ３６と、保持部材２６の上部に配設され、ボールねじ３６に螺合する螺合部材３８と、ボールねじ３６を回転駆動する副走査モータ４０とを有する。螺合部材３８は、保持部材２６の上部に配設され、ボールねじ３６の回転に伴い、保持部材２６と一体に副走査方向に移動する。ボールねじ３６が副走査モータ４０によって回転駆動されて保持部材２６が副走査方向に移動することにより、この保持部材２６に配設された固定部材２７ａ，２７ｂによって固定される集光レンズ２０およびスピナーミラー装置２２が副走査方向に移動する。
【００２７】
副走査モータ４０は、プーリ、ベルト等を用いたり、あるいはギア等を用いてボールねじ３６に回転動力を伝達するといった公知の手段によりボールねじ３６に接続されている。また、副走査モータ４０は、集光レンズ２０およびスピナーミラー装置２２の副走査方向の移動量を制御する必要があるので、パルスモータ等のモータであるのが好ましい。
【００２８】
ここで、本発明に係る露光装置１０は、給気手段４４から気体を供給しつつ排気手段５０からこの気体を排気することで生じる気流の流路を上述した第１遮光板２８および第２遮光板２９によって規定して（図１中の矢印Ｂで示す）、露光装置１０内部の気流を整流することにより、スピナーミラー装置２２の主走査モータ２４の発熱で暖められた気体が光ビームＬの光路に流入することを防止して、風ムラの発生を防止することができる。
【００２９】
給気手段４４は、気体を、露光装置１０外部から内部へと供給する給気口４６と、この給気口４６に配設された給気用ファン４８とを有する。給気口４６は、ハウジング１２の光ビームＬが入射する側の側面に、第１遮光板２８の貫通口２８ａと対向して設けられている。
【００３０】
また、排気手段５０は、気体を、露光装置１０内部から外部へと排気する排気用開口５２と、この排気用開口５２に配設された排気用ファン５４とを有する。排気用開口５２は、給気口４６と逆側のハウジング１２の側面に、第２遮光板２９の覆蓋部材２９ｂの開口部と対向して設けられている。
ここで、排気手段５０は、排気量を調節する流量調節手段を有するのが好ましい。これにより、給気手段４４による気体の供給により露光装置１０内部の圧力が正圧に維持される。
【００３１】
なお、排気手段５０は、上述したような排気用ファン５４が配設されず、排気用開口５２のみで構成されてもよい。この場合、給気手段４４の給気により正圧に維持される気体の押し出し圧力により、露光装置１０内の気体が、排気手段５０の排気用開口５２を介して装置外部へと排出される。
【００３２】
図示例の露光装置１０では、給気用ファン４８および排気用ファン５４が作動すると、気体が、給気口４６を通過して露光装置１０内部に送風される。露光装置１０内部に送風された気体の大部分は、図１中の矢印Ｂで示すように、第１遮光板２８の貫通口２８ａを通過して、第１遮光板２８と第２遮光板２９とに挟まれた空間に到達し、スピナーミラー装置２２の周囲を通過し、開口２９ａを介して覆蓋部材２９ｂと保持部材２６とで主走査モータ２４周囲に規定される流路を通過した後、露光装置１０内部に滞留することなく、排気用ファン５４により排気用開口５２を介して露光装置１０外部へと排気される。
【００３３】
上述したように気体の流路を規定する第１遮光板２８および第２遮光板２９を有し、スピナーミラー装置２２周囲の暖められた気体を装置外部へと排気することができる図示例の露光装置１０では、上記気体が光ビームＬの光路中へ流入して光路中に温度勾配が生じたり、上記気体が装置内部に拡散して装置内部に温度勾配が生じたりすることを防止することができる。従って、露光装置１０は、風ムラの発生を抑制し、良好な画像形成を可能とする。
【００３４】
ここで、第１遮光板２８に配設されるフード２８ｂは、装置内部に供給された気体のより多くを、上述した矢印Ｂで示す規定の流路に導く導流機能を有する。貫通口２８ａおよびフード２８ｂは、上述の機能を有するものであればその形状は限定されず、適宜最適な形状を選択すればよい。ただし、貫通口２８ａは、第１遮光板２８の遮光効果を著しく低下させることのない口径や形状であるのが好ましい。
【００３５】
また、装置内部に供給された気体の一部は、上述した規定の流路とは別の流路、例えば、第１遮光板２８または第２遮光板２９と記録媒体１６との間や、その他の間隙、を通過し排気手段５０によって排気される。上述したような他の流路を通過する気体をより少なくするために、例えば、第１遮光板２８，第２遮光板２９と記録媒体１６との間の間隙をより狭くする等の手段を講じることにより、規定の流路を通過する気体の割合を増加させるのは好ましい。
これにより、供給される気体の大部分を、上述した規定の流路を通過させることができるため、副走査方向に移動するスピンナーミラー装置２２における副走査方向の位置に係らず、スピナーミラー装置２２周囲の気体を光源側からその反対側に流すことができる。従って、図示例の露光装置１０は、給気用ファン４８あるいは排気用ファン５４と、スピナーミラー装置２２との距離に係らず、風ムラの発生を防止可能である。
【００３６】
また、図示例の露光装置１０は、従来例のように、ファンが、露光光学系と一体に構成されるのを避けて、別途設けられた給気手段および排気手段で装置内部に気流を生じさせることにより、露光光学系がファンの振動の影響を受けることがなく、良好な画像記録を可能としている。また、特別に振動の小さい高価なファンを使用する必要がないという効果も得られる。
【００３７】
ところで、図示例の露光装置１０では、スピナーミラー装置２２の副走査方向の位置に応じて、給気用ファン４８および排気用ファン５４の二つのファンのうち少なくとも一方を駆動制御して、より確実に上記規定の流路に気流を形成するようにしてもよい。例えば、スピナーミラー装置２２と給気用ファン４８との副走査方向の距離が短い場合よりも、長い場合の方が給気用ファン４８による気体の送風量が多くなるように、給気用ファン４８を駆動制御して送風量を調節する等の方法が挙げられる。
図示例の露光装置１０では、上記の方法に限定されず、給気手段４４による給気量と、排気手段５０による排気量とを、スピナーミラー装置２２の位置に応じて適宜決定するようにしてもよい。
ただし、露光装置１０内部が負圧になることがないように、給気用ファン４８および／または排気用ファン５４を駆動制御するのが好ましい。
【００３８】
ここで、露光装置１０は、各動作を制御する制御装置（図示省略）を有する。制御装置は、別途用意された画像情報を受けて記録開始の指令を受けるとともに露光装置１０の各分に制御信号を送信する。
図示例の露光装置１０は、基本的に上述したように構成される。
【００３９】
以下、露光装置１０の作用について説明する。
画像情報を受け、画像記録開始の指令を受けた制御装置は、露光装置１０の各部に制御信号を送信し、記録動作を開始する。
制御信号を受けた主走査部１７の光源ユニット１８は、画像情報に応じて変調した光ビームＬを照射する。これと同期して、スピナーミラー装置２２の主走査モータ２４と、副走査移動手段３０の副走査モータ４０が回転駆動する。さらに、給気手段４４の給気用ファン４８および排気手段５０の排気用ファン５４が作動して、ハウジング１２内部に上述規定された流路に沿って気流が形成される（図１中の矢印Ｂで示す）。
照射された光ビームＬは、集光レンズ２０を通過し、スピナーミラー装置２２の反射面２３で偏向され、支持台１４に保持された記録媒体１６の被走査面に所定の角度で入射し、この被走査面上で集光してビームスポットを形成する。スピナーミラー装置２２の反射面２３が回転して記録場体１６を主走査し、かつ副走査移動手段３０によってスピナーミラー装置２２が副走査方向に移動する。このようにして露光装置１０は、記録媒体１４を二次元的に走査露光することにより潜像を記録する。
【００４０】
ここで、図示例の露光装置１０では、画像記録時に、スピナーミラー装置２２の反射面２３を高速回転する（例えば、４０，０００ｒｐｍ程度）主走査モータ２４等から発生する熱により暖められた気体が、給気手段４４と排気手段５０とによって形成される気体の流れによって、光ビームＬの光路に進入するようなことなく、排気手段５０の排気用開口５２を介して露光装置１０外部に排出される。
画像記録が終了した記録媒体１６は、記録媒体１６を搬送する、図示しない搬送手段によって、現像等の次工程に搬送される。
以上、インナードラム露光装置について本発明を適用した、一実施形態について詳細に説明した。
【００４１】
本発明の露光装置は、上記実施形態に限定されるものでなく、本発明の要旨を逸脱しない範囲において、各種の改良および変更を行ってもよいのはもちろんである。
【００４２】
以上、詳細に説明したように、本発明のインナードラム露光装置によれば、モータや光源等の副走査方向に移動する熱源の装置内部での位置に係らずに、上記熱源によって暖められた装置内部の気体を拡散させることなく、装置外部に効率よく排気することにより、光ビームの光路中における温度勾配の発生を防止して風ムラの発生を防止することが可能となる。
さらに、光源や偏向手段とは別に給気手段および排気手段を設け気流を生じさせることにより、送風ファンの振動の影響を受けることがない構成とすることができる。
従って、本発明のインナードラム露光装置は、良好な画像記録を安定して行うことを可能とする。
【図面の簡単な説明】
【００４３】
【図１】本発明に係る露光装置を模式的に示した一部断面図である。
【図２】図１に示される露光装置における矢印ＡＡでの切断面を示す矢視断面図である。
【符号の説明】
【００４４】
１０  インナードラム露光装置
１２  ハウジング
１４  支持台
１６  記録媒体
１７  主走査部
１８  光源ユニット
２０  集光レンズ
２２  スピナーミラー装置
２３  回転体
２４  主走査モータ
２６  保持部材
２７ａ，２７ｂ  固定部材
２８  第１遮光板
２８ａ  貫通口
２８ｂ  フード
２９  第２遮光板
２９ａ  開口
２９ｂ  覆蓋部材
３０  副走査移動手段
３２  アーム
３４  ローラ
３５  ねじ送り機構
３６  ボールネジ
３８  螺合部材
４０  副走査モータ
４２  ガイド
４４  給気手段
４６  給気口
４８  給気用ファン
５０  排気手段
５２  排気用開口
５４  排気用ファン
【図１】
2007003884.tif 000003
【図２】
2007003884.tif 000004